(57)【特許請求の範囲】
【請求項１】
検査領域に実質的に一様な主磁界を生成する主磁石と、
前記主磁界を空間的に符号化するために、前記検査領域の前記主磁界に勾配磁界を与える勾配コイルアセンブリと、
前記検査領域内の被検体の選択された双極子に磁気共鳴を誘起し、前記磁気共鳴を受け取るラジオ周波数アセンブリと、
前記検査領域に少なくとも部分的に配され、前記被検体の少なくとも１つの生理的パラメータを測定し表示する非磁性モニタと、
を有し、前記非磁性モニタが、前記検査領域に配される圧電セラミック蠕動ポンプを有する、磁気共鳴システム。
【請求項２】
前記圧電セラミック蠕動ポンプ用の高電圧ドライバが、前記検査領域に配される、請求項１に記載の磁気共鳴システム。
【請求項３】
前記非磁性モニタは、前記検査領域に配される少なくとも１つのバルブを有する、請求項１又は２に記載の磁気共鳴システム。
【請求項４】
前記少なくとも１つのバルブは、圧電セラミックダイアフラムバルブを有する、請求項３に記載の磁気共鳴システム。
【請求項５】
前記圧電セラミックダイアフラムバルブ用の高電圧ドライバを更に有する、請求項４に記載の磁気共鳴システム。
【請求項６】
前記非磁性モニタが、血圧モニタ及びガス解析モニタのうちの一方を有する、請求項１乃至５のいずれか１項に記載の磁気共鳴システム。
【請求項７】
前記非磁性モニタは、血圧モニタを有し、前記血圧モニタは更に、
前記検査領域に配される圧電セラミック蠕動ポンプと、
前記検査領域に配される少なくとも１つのバルブと、
前記圧電セラミック蠕動ポンプ及び前記バルブを駆動するための高電圧ドライバを制御するコントローラと、
血圧読み取り値及びそれらの値が取得された時間を少なくとも記憶するメモリと、
放射エミッションからシールドするために、前記コントローラ及び前記メモリ周囲の電磁的両立性をもつ筐体と、
を有する、請求項６に記載の磁気共鳴システム。
【請求項８】
前記非磁性モニタは、バイメタル素子により動作されるバルブ又はポンプの少なくとも１つを更に有する、請求項１乃至７のいずれか１項に記載の磁気共鳴システム。
【請求項９】
前記主磁石は、前記検査領域中に少なくとも２５００ガウス（０．２５Ｔ）の磁界を生成する、請求項１乃至８のいずれか１項に記載の磁気共鳴システム。
【請求項１０】
ＭＲＩ環境下で安全な血圧モニタであって、
圧力を患者の動脈に印加する圧力カフと、
圧力下で前記動脈内の可聴イベントを検知する第１のトランスデューサと、
前記圧力カフに圧力を与える圧電セラミック蠕動ポンプと、
前記圧電ポンプを駆動する第１の高電圧ドライバと、
前記圧力カフに印加される前記圧力を検知する第２のトランスデューサと、
制御された線形レートで前記圧力カフから圧力を解放する第１の圧電セラミックダイアフラムバルブと、
前記第１の圧電ダイアフラムバルブを駆動する第２の高電圧ドライバと、
少なくとも前記ポンプ及び前記圧力カフを接続する空気接続部と、
少なくとも前記ポンプ及び前記ダイアフラムバルブを制御する制御回路と、
少なくとも前記第１及び前記第２の高電圧ドライバ並びに前記制御回路に電力を供給する電源と、
を有する、血圧モニタ。
【請求項１１】
放射エミッションからシールドする、少なくとも前記圧電ポンプ及び前記バルブ周囲の電磁妨害筐体を更に有する、請求項１０に記載の血圧モニタ。
【請求項１２】
前記第１の圧電バルブは、リニア解放バルブである、請求項１０に記載の血圧モニタ。
【請求項１３】
前記モニタから圧力を解放するためのダンプバルブとして働く第２の圧電ダイアフラムバルブと、
前記第２の圧電ダイアフラムバルブを駆動する第３の高電圧ドライバと、
を更に有する、請求項１２に記載の血圧モニタ。
【請求項１４】
両方の前記バルブは、バイメタル作動装置である、請求項１３に記載の血圧モニタ。
【請求項１５】
検査領域に主磁界を生成する主磁石と、
前記検査領域に配される請求項１０に記載の血圧モニタと、
を有する磁気共鳴システム。
【請求項１６】
磁界中の被検体を監視する方法であって、
磁気共鳴イメージング装置の主磁石により、主磁界を生成するステップと、
勾配コイルシステムにより、前記検査領域に勾配磁界を印加するステップと、
ＲＦアセンブリにより、前記検査領域にＲＦパルスを印加するステップと、
前記検査領域に少なくとも部分的に配される非磁性モニタにより、前記被検体の少なくとも１つの生理的パラメータを測定し表示するステップと、
を含み、前記非磁性モニタが、前記検査領域に配される圧電セラミック蠕動ポンプを有する、方法。
【請求項１７】
前記非磁性モニタが、圧力カフに接続される血圧モニタであり、前記生理的パラメータを測定し表示するステップが、
第１のリニア圧電セラミックダイアフラムバルブを閉じ、第２の圧電セラミックダイアフラムダンプバルブを閉じ、圧電セラミック蠕動ポンプを作動することによって、前記主磁界中に位置する圧力カフを膨張させるステップと、
前記第１のバルブを開き、前記圧電セラミック蠕動ポンプをオフにすることによって、前記圧力カフから空気を解放することによって、圧力を読み取るステップと、
前記第２のバルブを開くことによって、前記カフから残りの空気を解放するステップと、
を更に含む、請求項１６に記載の方法。
【請求項１８】
前記主磁界が、５０００ガウスより大きい又はそれに等しい、請求項１６又は１７に記載の方法。
【請求項１９】
血圧測定を遠隔位置にワイヤレスで送信するステップを更に含む、請求項１６乃至１８のいずれか１項に記載の方法。
【発明の詳細な説明】
【技術分野】
【０００１】
本願は、診断イメージング技術に関する。本願は、強磁界を生成する磁気共鳴イメージングスキャナの存在下で使用されるのに安全なアクセサリに特定の用途を見い出し、それらを特に参照して記述される。しかしながら、本願は、強磁界の不存在下でより従来どおりの装置においても使用されることができ、上述した用途に制限されない。
【背景技術】
【０００２】
通常の磁気共鳴イメージング（ＭＲＩ）は、イメージング領域内の被検体の双極子を揃えるために、強力な磁界を使用する。多くの場合、ＭＲＩ磁石を収容するスイート（室、区画）は、強力な磁界が、他の磁気的にセンシティブな装置と干渉することを防ぐために、磁気的にシールドされる。このような強力な磁界の１つの潜在的に危険な副次的作用は、それが近くの強磁性体に及ぼす物理的な引力である。金属対象が、磁石の近くに持ってこられる場合、対象は、磁石に向かって大きな速度で動かされることがあり、近くの人、磁石及び対象自体に対して損傷を与える可能性がある。従って、金属対象又は金属コンポーネントを有する対象は、それが磁界のあるところで動作する場合、磁石から安全な距離離れたところに保たれなければならない。磁気引力が装置を全体として物理的に移動させるに十分強力でない場合であっても、磁界は、装置の動作に影響を与える力及びトルクをなお作用させることがある。
【０００３】
別の副次的作用は、磁界が、磁気的にセンシティブな器具に損害を与え、それらの器具を早期に故障させることがあることである。物理的な引力が危険でない距離のところであっても、磁界が存在し、センシティブなコンポーネントに影響を与えることがある。これは一時的な故障でありえ、磁界から取り除かれると、装置は、正常に動作するが、永続的な損傷が引き起こされることがあり、例えば永久磁石の変形は、永続的な故障をもたらす。移動する電磁石の又は鉄の部分に対する磁力は、早期の故障に至る追加の負荷をもたらすことがある。
【発明の概要】
【発明が解決しようとする課題】
【０００４】
自動血圧モニタは、例えば、ＭＲＩセーフでない、すなわちＭＲＩ環境下で安全でない、コンポーネントによって一般に駆動されるポンプを含む。自動化された非侵襲血圧装置及びガスモニタは、今日、電磁モータによって駆動される遠心又は蠕動ポンプを使用する。これらの装置において動作するバルブは、電磁ソレノイドによって作動される。安全であるために、これらのモニタは、磁石から安全な距離離れたところに保たれなければならない。ＭＲＩ装置内で患者血圧監視が望まれる場合、長いチューブ又はホースが、モニタのポンプ及びバルブ部分から、患者に搭載されるカフ、マスク又は他のセンサまで走るようにされなければならならず、これは、患者及び医療関係者にとって取り扱うのが厄介な物理的な障害物を示す。モニタ及び患者は、ＭＲＩスイート周辺で操られるので、ホースは、効率的なワークフローに負の影響を与える。加えて、モニタ内のコンポーネントは、なおＭＲスイート内にあり、磁界による影響を与えられ、早期に故障する傾向がある。従来、装置は、「MR Conditional（ＭＲ環境の特定の条件下で安全）」評価を割り当てられ、この場合、装置は、許容可能な最大磁界曝露を付される。これは、一定のＢ０磁界を有するＭＲＩマシンからの安全な距離に変換されることができる。
【０００５】
センシティブなコンポーネントを磁界から保護するために、強磁性シールドが、時折使用される。これらのシールドは、コンポーネントを損傷から保護するのを助けるが、それらは、完全に磁界を通さないわけではなく、それらは、物理的な引力の付加されるリスクを示し、従って、安全な距離離れたところに保たれなければならない。シールドは、センシティブなコンポーネントの早期の故障を軽減するのを助けることができるが、長いホースが、なおＭＲＩ装置内の患者からモニタまで走らされなければならない。
【０００６】
本願は、上述した問題、その他を克服する、新しい改善されたＭＲＩセーフの（ＭＲＩ環境下で安全な）装置を提供する。
【課題を解決するための手段】
【０００７】
１つの見地により、磁気共鳴システムが提供される。主磁石が、イメージング領域に実質的に一様な主磁界を生成する。勾配コイルアセンブリが、主磁界に勾配磁界を与えて、主磁界を空間的に符号化する。ラジオ周波数アセンブリが、イメージング領域内の被検体の選択された双極子に磁気共鳴を誘起し、イメージング領域から磁気共鳴信号を受け取る。自動化された非磁性モニタが、被検体のパラメータを測定し、表示する。
【０００８】
別の見地により、ＭＲＩセーフの血圧モニタが提供される。圧力カフが、患者の動脈に圧力を印加する。第１のトランスデューサが、圧力下で動脈内の可聴イベントを検知する。圧電セラミック蠕動ポンプが、圧力カフに圧力を与える。第１の高電圧ドライバが、圧電ポンプを駆動する。第２のトランスデューサが、圧力カフに印加される圧力を検知する。第１の圧電セラミックダイアフラムバルブが、制御された線形レートで、圧力カフから圧力を解放する。第２の高電圧ドライバが、第１の圧電ダイアフラムバルブを駆動する。空気接続部が、少なくともポンプ及び圧力カフを接続する。制御回路が、少なくともポンプ及びダイアフラムバルブを制御する。電源が、少なくとも第１及び第２の高電圧ドライバに電力を供給する。
【０００９】
別の見地により、磁界中の被検体の血圧を測定する方法が提供される。主磁界が、磁気共鳴イメージング装置の主磁石によって生成される。主磁界中に位置する圧力カフは、第１のリニア圧電セラミックダイアフラムバルブを閉じ、第２の圧電セラミックダイアフラムダンプバルブを閉じ、圧電セラミックポンプを作動させることによって、膨張される。圧力は、第１のバルブを開き、ポンプをオフにすることによって、圧力カフから空気を解放することによって、読み取られる。圧力の読み取り値が取得されたのち、残りの空気は、第２のバルブを開くことによって、カフから解放される。
【００１０】
１つの利点は、長いホースを用いずに、高磁界環境において患者の血圧を監視する能力にある。
【００１１】
別の利点は、長いホースを用いずに、高磁界環境において投与される気体を監視する能力にあり、圧電セラミックポンプが、気体をサンプリングするために必要な真空をひく。
【００１２】
別の利点は、高磁界環境における増大されたコンポーネント寿命にある。
【００１３】
別の利点は、増大される移動性及び患者アクセスにある。
【００１４】
別の利点は、ＭＲＩ装置に近いところの強磁性体の低減にある。
【００１５】
別の利点は、患者及び医療スタッフのための増大された安全にある。
【００１６】
本発明の更に別の利点は、以下の詳細な説明を読み理解することによって当業者に理解されるであろう。
【００１７】
本発明は、さまざまなコンポーネント及びコンポーネントの取り合わせ、並びにさまざまなステップ及びステップの取り合わせの形をとりうる。図面は、好適な実施形態を示す目的のみにあり、本発明を制限するものとして解釈されるべきでない。
【図面の簡単な説明】
【００１８】
【図１】ＭＲセーフの医用モニタを有する磁気共鳴イメージング装置の概略図。
【図２】本願による血圧モニタの概略図。
【図３】ＭＲセーフの医用モニタ用のバルブを示す図。
【図４】ＭＲセーフのモニタ用のポンプを示す図。
【図５】ＭＲセーフのバルブの代替の実施形態を示す図。
【発明を実施するための形態】
【００１９】
図１を参照して、磁気共鳴スキャナ１０が図示されている。磁気共鳴スキャナ１０は、垂直の主磁石アセンブリ１２を有するオープン磁界システムでありえる。主磁石アセンブリ１２は、イメージング領域の垂直軸に沿って指向される実質的に一定の主磁界を生成する。垂直主磁石アセンブリ１２が、可視化を助けるために部分的に示されているが、例えば円筒、その他の形の磁石装置もまた企図されることが理解されるべきである。オープンシステムにおける主磁石１２は、約２５００ガウス（０．２５Ｔ）乃至１０，０００ガウス（１．０Ｔ）の磁界強度を有しうる。ボアタイプのシステムは、１５，０００ガウス（１．５Ｔ）乃至７０，０００ガウス（７．０Ｔ）の磁界を生成することができる。５ガウスラインは、一般には、より低い磁界強度ではより近く、高い磁界強度ではより離れているが、例えばシールドのような他のファクタ及び構成によって変化しうる。
【００２０】
勾配コイルアセンブリ１４は、主磁界を空間的に符号化するために、イメージング領域に磁界勾配を生成する。好適には、磁界勾配コイルアセンブリ１４は、一般には縦方向又はｚ方向、横方向又はｘ方向、及び垂直方向又はｙ方向の３つの直交方向に磁界勾配パルスを生成するように構成されるコイルセグメントを有する。
【００２１】
ラジオ周波数コイルアセンブリ１６は、被検体の双極子に共鳴を励起するために、ラジオ周波数パルスを生成する。ラジオ周波数コイルアセンブリ１６は更に、イメージング領域から発する共鳴信号を検出する働きをする。ラジオ周波数コイルアセンブリ１６は、イメージング領域全体をイメージングする送信／受信コイルであるが、局所的な送信／受信コイル又は局所的な専用受信コイルが更に企図される。
【００２２】
勾配パルス増幅器１８は、選択された磁界勾配を生成するために、磁界勾配アセンブリ１４に、制御された電流を送り出す。好適にはデジタルであるラジオ周波数送信器２０は、選択された共鳴を励起するために、ラジオ周波数パルス又はパルスパケットをラジオ周波数コイルアセンブリ１６に印加する。ラジオ周波数受信機２２は、誘起された共鳴信号を受け取り、復調するために、コイルアセンブリ１６又は別個の受信コイルに結合される。
【００２３】
被検体の共鳴イメージングデータを取得するために、被検体が、イメージング領域内に置かれる。シーケンスコントローラ２４は、関心領域の光学的操作を補うために、勾配増幅器１８及びラジオ周波数送信器２０と通信する。シーケンスコントローラ２４は、例えば、選択された反復エコー定常状態又は他の共鳴シーケンスを生成し、そのような共鳴を空間的に符号化し、共鳴を選択的に操り若しくは弱め、又は被検体にとって特徴的な選択された磁気共鳴信号を他のやり方で生成する。生成された共鳴信号は、ＲＦコイルアセンブリ１６又は局所コイル（図示せず）によって検出され、ラジオ周波数受信機２２に通信され、復調され、ｋ空間メモリ２６に記憶される。イメージングデータは、画像メモリ３０に記憶される１又は複数の画像表現を生成するために、再構成プロセッサ２８によって再構成される。１つの適切な実施形態において、再構成プロセッサ２８は、逆フーリエ変換再構成を実施する。
【００２４】
結果として得られる（複数の）画像表現は、ビデオプロセッサ３２によって処理され、人間可読のディスプレイを備えるユーザインタフェース３４上に表示される。インタフェース３４は、好適には、パーソナルコンピュータ又はワークステーションである。ビデオ画像を生成するのではなく、画像表現は、プリンタドライバによって処理され、印刷され、コンピュータネットワーク又はインターネットを通じて送信されることができる等である。好適には、ユーザインタフェース３４は更に、放射線医又は他のオペレータが、磁気共鳴イメージングシーケンスを選択し、イメージングシーケンスを変更し、イメージングシーケンスを実行する等のために、シーケンスコントローラ２４と通信することを可能にする。
【００２５】
携帯可能なモニタ４０は、磁界中の患者とともに位置付けられる。図示される実施形態のモニタ４０は、血圧モニタであり、少なくとも１つの空気ホース４４によって一般的な圧力カフ４２に接続される。デュアルホースシステムが、以下に記述される。しかしながら、任意のパラメータが測定されうることが理解されるべきであり、本願は、特に血圧モニタに必ずしも制限されない。血圧を測定する際、カフ４２が膨張されて、患者に、一般には患者の二頭筋に、測定可能な圧力を及ぼす。カフ４２は、カフ４２の圧力が、患者の動脈の収縮期圧より高い圧力に増大されるように、膨張される。これは、一時的に、上腕動脈を通る血流を止める。ついで、空気が、一定のレートでカフから流出することを可能にされる。血液が、上腕動脈に流れ始めると、すなわち、腕上のカフ４２又は他のセンサが、パルスを検出すると、モニタ４０は、患者の収縮期圧として圧力値を記録する。カフがパルスをもはや検出することができなくなるまで、空気が、カフ４２から流出し続け、パルスが失われる圧力値が、患者の拡張期圧として記録される。
【００２６】
図２を参照して、上述の測定を可能にするコンポーネントを含む血圧モニタ４０が、より詳しく示されている。カフ４２内の圧力を増大するために、ポンプ４６は、大気から空気を引き、カフ４２にそれをポンピングする。カフ４２が膨張すると、圧力がカフ４２内で増大するように、システムが閉じられる。図３に示される実施形態において、他のタイプの圧電ポンプも企図されるが、ポンプ４６は、圧電ポンプであり、より詳しくは、蠕動圧電セラミック作動ポンプである。圧電素子４６ａは、矢印によって示される方向に拡張し、収縮する。圧電素子が作動されると、それは可撓性ダイアフラム４６ｂをそらせる。ダイアフラム４６ｂがそると、それはポンプチャンバ４６ｃのボリュームを低減し、出口チェックバルブ４６ｄを介してチャンバから流体をポンピングする。圧電素子４６ａが弛緩すると、ポンプチャンバ４６ｃのボリュームが増大し、入口チェックバルブ４６ｅを通じて流体を引き入れる。両方のチェックバルブ４６ｄ、４６ｅは、ポンプチャンバ４６ｃを通る逆流を防ぐ、圧力作動の一方向バルブである。ポンプ４６の圧電素子４６ａは、関連する高電圧ドライバ４８によって駆動される。ドライバ４８は、モニタコントローラ５０によって制御される。
【００２７】
血液が上腕動脈に流れているかどうかを検知するために、第１のトランスデューサ５２が、カフ４２内に又はそれに隣接して位置付けられる。血液が流れ始めると、それは、乱れた血流によって生成され、トランスデューサ５２によって検出される特徴的な音（第１のコロトコフ音）を伴う。第２のトランスデューサ５４が、カフ４２の圧力を測定する。ポンプ４６が、圧力を与えるためにカフ４２を膨張させたのち、空気が、リニアバルブ５６を介してカフ４２から流出される。図４に示される一実施形態において、リニアバルブ５６は、圧電セラミックダイアフラムバルブである。圧電素子５６ａは、矢印によって示されるように拡張し、収縮する。圧電素子が拡張すると、それによって、バルブ素子５６ｂが、バルブシート５６ｃと接触させられ、バルブ５６をシールする。圧電素子５６ａが、弛緩すると、バルブ５６は開き、流体がバルブ５６を流れることができる。任意には、パイロット動作される圧電バルブが、使用されることができる。リニアバルブ５６は、モニタコントローラ５０によって同様に制御されるそれ自身の関連する高電圧ドライバ５８を有する。任意には、リニアバルブは、バイメタル素子５６ａによって駆動されることができ、定められた量の電流が、熱を生成し、知られている歪みを引き起こす。バルブは、知られているフローレートが通過することを可能にする。このタイプも、非磁性であるが、付加の高電圧ドライバを必要としない。
【００２８】
カフ４２の圧力が、患者の収縮期圧と拡張期圧との間であるとき、動脈圧力は、患者の心臓の鼓動により、カフ圧力より高く急上昇し、カフ圧力より低く下がるので、血流が乱れる。カフ４２の圧力が、収縮期圧と拡張期圧との間にある限り、第１のトランスデューサ５２は、乱れた血流を検出することができる。一旦カフ圧力が収縮期圧より下に下がると、動脈はもはや収縮しないいので、上腕動脈を通る血流はもはや乱れない。更なる音も検出されない。第１のトランスデューサ５２が、もはやいかなる音も検出しない場合、これが生じる第２のトランスデューサ５４によってリポートされる圧力が、拡張期圧として記録される。
【００２９】
拡張期圧が記録されると、ダンプバルブ６０が開いて、カフ４２の残りの空気を大気に解放する。一実施例において、リニアバルブ５６のように、ダンプバルブ６０は、圧電セラミックダイアフラムバルブである。同様に、ダンプバルブ６０は、それ自身の高電圧ドライバ６２によって駆動される。ドライバ４８、５８、６２はすべて、詳細に上述されたプロセスを実施するように、モニタコントローラ５０によって制御される。カフ４２の膨張中、ポンプ４６はオンにされ、リニアバルブ５６及びダンプバルブ６０は閉じられる。血圧測定の間、ポンプ４６はオフにされ、リニアバルブ５６が開かれ、ダンプバルブ６０は閉じたままである。拡張期圧が読み取られると、不使用の期間中、ポンプ４６はオフであり、両方のバルブ５６、６０が開かれる。モニタ４０が読み取りを実施することに失敗する場合、コントローラ５０は直ちにプロセスを再び始めることができる。任意には、付加の高電圧ドライバの必要なく、ダンプバルブは、電気を熱に変換して更に移動及びバルブ作動に変えるバイメタル素子によって、駆動されることができる。
【００３０】
上述したように、プロセスは、モニタコントローラ５０によって制御される。好適には、ユーザは、ユーザインタフェース６４により、モニタコントローラ５０とインタフェースすることができる。ユーザは、読み取りを命じ又は周期的な読み取りを設定するとともに、モニタメモリ６６に記憶される最近の圧力読み取り値をレビューすることができる。任意には、ワイヤレストランシーバ６８が、モニタ４０に含められ、それにより、コントローラ５０は、スイート内のリモートワークステーション、オペレータ又はナースステーション、又はモニタ処理ユニット７０に、読み取り値を送信することができる。電池、ＡＣアダプタ又はＭＲシステムから電力を引くシステムのような適切な電源７２が、モニタ４０に電力を供給する。好適には、モニタ４０は、アイドル状態のときは壁ソケットに差し込まれることができるが、使用中はコードレスである例えば非磁性リチウムイオン電池のような再充電可能な電池を備える。
【００３１】
セラミック圧電素子を使用することによって、電磁的にセンシティブなコンポーネントは、モニタ４０に存在しない。従って、モニタ４０は、「ＭＲセーフ（ＭＲ環境下で安全）」の評価を与えられることができ、ＭＲ装置１０の磁界中の患者に付随することができるとともに、モニタ４０から患者にまで至る長いケーブル及びチューブの必要を排除する。圧電デザインは、ワイヤレスの、携帯可能な、テーブルトップの、又は台座に搭載される血圧モニタに等しく適用できるが、特に、ＭＲ装置のボア内に患者とともに移動することができるモニタに適している。任意には、モニタは、モニタ４０が画像取得又は品質に負の影響を与えることを防ぐために、電磁干渉シールド７４によりシールドされる。更に、モニタコントローラ５０及びメモリ６６は、磁界からシールドされる。
【００３２】
別の実施形態において、呼吸終期のＣＯ２を測定し又は麻酔ガスを送り出すモニタのようなガスモニタが、ＭＲＩシステムにおいて使用される圧電セラミックポンプ及びバルブと共に構成される。ガスモニタにおいて、呼吸マスクが、患者の口腔をおおって配置される。圧電蠕動ポンプは、マスク又は関連する排気ラインから、気体をポンピングする。圧電バルブは、排気の定められたボリュームを、解析チャンバに移動させ、解析期間中、チャンバに気体を保持し、解析後、気体を排出するように動作される。
【００３３】
他のタイプの磁界セーフの（磁界環境下で安全な）ポンプ及びバルブが更に企図される。図５に示されるように、バイメタル素子８０は、それが矢印によって示される方向にプランジャ８４を動かすようにするために、ヒータ８２によって加熱され、冷却されることを可能にされる。プランジャ８４は、ダイアフラム８６を撓ませ、ダイアフラム８６に、バルブシート８８を開いた位置及び閉じた位置の間で作動させる。同様に、バイメタル素子８０の交互する加熱及び冷却は、蠕動ポンプのダイアフラムをポンピングすることができる。他のタイプのＭＲセーフのバルブ及びポンプが更に企図される。
【００３４】
本発明は、好適な実施形態を参照して記述された。変形及び変更が、上述の詳細な説明を読み理解することにより、当業者に思いつくであろう。本発明は、すべてのこのような変形及び変更が添付の請求項又はその等価なものの範囲内にある限り、それらを含むものとして解釈されることが意図される。
【図１】
0005596567.tif 000002
【図２】
0005596567.tif 000003
【図３】
0005596567.tif 000004
【図４】
0005596567.tif 000005
【図５】
0005596567.tif 000006